(57)【要約】【課題】本発明は、ケースの内部に消毒機能がある液化発香性消毒剤吸着布を内蔵し、吸着布と携帯電話との間には香りが疎通できる複数の孔が穿孔された隔離板を備えることにより、消毒機能がある液化発香性消毒剤吸着布が自然的に気化しながら携帯電話に香りが染みて、消毒可能にした携帯電話の薫香消毒器を提供するためのものである。【解決手段】本発明は、携帯電話を受容するためのハウジングと、ハウジングを覆うための蓋部を備える容器と、容器の底部に内蔵される吸着布ケースと、吸着布ケースの内部に内蔵され、発香機能と消毒機能を共に持っている吸着布と、吸着布ケースの上部に設置され、その全面に亘って複数のホールが形成され、取っ手を備える隔離板とを含むことを特徴とする。【選択図】図２
2007307374.tif 000002
【特許請求の範囲】
【請求項１】
携帯電話を受容するためのハウジングと前記ハウジングを覆うための蓋部を備える容器と、
前記容器の底部に内蔵される吸着布ケースと、
前記吸着布ケースの内部に内蔵され、発香機能と消毒機能を共に持っている吸着布と、
前記吸着布ケースの上部に設置され、その全面に亘って複数のホールが形成され、取っ手を備える隔離板と
を含むことを特徴とする携帯電話の薫香消毒器。
【請求項２】
前記容器の蓋部は、その一側部が前記ハウジングにヒンジ式で結合され、前記蓋部に設置される開閉ボタンの作動により開閉されることを特徴とする請求項１記載の携帯電話の薫香消毒器。
【請求項３】
前記隔離板はヒンジにより容器のハウジングに回動可能に結合されることを特徴とする請求項１記載の携帯電話の薫香消毒器。
【請求項４】
前記蓋部の内側面には鏡が装着されることを特徴とする請求項１記載の携帯電話の薫香消毒器。
【請求項５】
前記吸着布ケースは、
前記吸着布を内蔵するためのハウジングと、
前記ハウジングを覆うための蓋部とを含み、
前記蓋部は、ハウジングにヒンジ式で結合され、前記蓋部の全面には複数のホールが穿孔されていることを特徴とする請求項１記載の携帯電話の薫香消毒器。
【請求項６】
前記吸着布は、液化発香性消毒剤吸着布であって、油性用吸着布であることを特徴とする請求項５記載の携帯電話の薫香消毒器。
【請求項７】
前記容器のハウジングの内側壁にはスポンジ形態の弾性部材が設置されることを特徴とする請求項１記載の携帯電話の薫香消毒器。
【請求項８】
携帯電話を入れるためのハウジングであって、前記ハウジングの一側面には上部から一定距離だけ切欠された凹溝部が形成され、前面部の内側には少なくとも１つ以上の収容部が形成されたハウジングと、
前記ハウジングを覆うために一側部が前記ハウジングにヒンジ式で結合される蓋部であって、前記ハウジングの凹溝部に対応する前記蓋部の一側部には前記凹溝部の半分を密閉できる封入凸部が一体形成された蓋部とを含み、
前記封入凸部が前記凹溝部を密閉させて残った開放部を完全に密閉させることができ、一側が前記ハウジングに固定されて開閉可能なゴム蓋と、
陰イオン及び遠赤外線を放出するために、前記収容部に挿入される銀ナノチップと、
を含むことを特徴とする携帯電話の薫香消毒器。
【請求項９】
携帯電話が装着される前記ハウジング１１０の内部と接する前記収容部１４０の内側壁には複数の貫通ホール１４３が形成されることを特徴とする請求項８記載の携帯電話の薫香消毒器。
【請求項１０】
前記ハウジングの内部に内蔵される吸着布ケースと、
前記吸着布ケースの内部に内蔵され、発香機能と消毒機能を共に持っている吸着布と、
を更に含むことを特徴とする請求項８記載の携帯電話の薫香消毒器。
【請求項１１】
前記ハウジング１０はプラスチック素材で製作され、製作時に銀ナノパウダーをプラスチック素材に共に混合して製作することを特徴とする請求項１または８記載の携帯電話の薫香消毒器。
【発明の詳細な説明】
【技術分野】
【０００１】
本発明は、携帯電話の薫香消毒器に関し、より詳しくは、ケースの内部に消毒機能がある液化発香性消毒剤吸着布を内蔵し、吸着布と携帯電話との間には香りが疎通できる複数の孔が穿孔された隔離板を備えることにより、消毒機能がある液化発香性消毒剤吸着布が自然的に気化しながら携帯電話に香りが染みて消毒可能にした携帯電話の薫香消毒器に関する。
【背景技術】
【０００２】
一般に、携帯電話、ＰＤＡ、ＭＰ３、イヤホンなどの殺菌消毒方法としては、電気を使用する紫外線殺菌消毒器とオゾン殺菌消毒器などを使用して殺菌する方法があるが、電気使用方式による固定型であるので、不便で、かつ薫香効果が追加できない技術上の限界により普遍化できていない実状である。
【０００３】
このような実状で、携帯電話使用者のより爽快で、かつ衛生的な携帯電話管理欲求を充足させ、かつ携帯電話などの機器を損傷しなくて、人体に無害で（液化発香剤の中にはむしろ呼吸器などに有益な治療用発香剤もある）、電気の使用なしで自然気化方式による経済性と親環境的利益と共に携帯使用の便利性まで提供することで、ＩＴ時代、ウェルビング時代に応ずる製品であって、人間の幸福指数をアップグレードするに大きく寄与するはずである。
【発明の開示】
【発明が解決しようとする課題】
【０００４】
本発明の目的は、上記の問題点を解決するために案出したものであって、携帯電話使用者に爽快さを与えられるようにした携帯電話の薫香消毒器を提供することにある。
【０００５】
本発明の他の目的は、携帯電話に付くことができる唾や生体分泌物、または外部接触による細菌の汚染などのような非衛生的な部分を常時消毒を通じて清潔にすることができるようにした携帯電話の薫香消毒器を提供することにある。
【０００６】
本発明の更に他の目的は、銀ナノチップを受容して殺菌力を格段に増大させることができるようにした携帯電話の薫香消毒器を提供することにある。
【０００７】
本発明の更に他の目的は、殺菌及び消毒を実行すると共に、携帯電話のバッテリを充電することができるようにした携帯電話の薫香消毒器を提供することにある。
【課題を解決するための手段】
【０００８】
上記の目的を達成するために、本発明の一実施形態に係る携帯電話の薫香消毒器は、携帯電話を受容するためのハウジングと前記ハウジングを覆うための蓋部を備える容器と、容器の底部に内蔵される吸着布ケースと、吸着布ケースの内部に内蔵され、発香機能と消毒機能を共に持っている吸着布と、吸着布ケースの上部に設置され、その全面に亘って複数のホールが形成され、取っ手を備える隔離板とを含むことを特徴とする。
【０００９】
容器の蓋部は、その一側部がハウジングにヒンジ式で結合され、蓋部に設置される開閉ボタンの作動により開閉されることを特徴とする。
【００１０】
隔離板は、ヒンジにより容器のハウジングに回動可能に結合されることを特徴とする。
【００１１】
蓋部の内側面には鏡が装着されることを特徴とする。
【００１２】
吸着布ケースは、吸着布を内蔵するためのハウジングと、ハウジングを覆うための蓋部とを含み、蓋部は、ハウジングにヒンジ式で結合され、蓋部の全面には複数のホールが穿孔されていることを特徴とする。
【００１３】
吸着布は、液化発香性消毒剤吸着布であって、油性用吸着布であることを特徴とする。
【００１４】
容器のハウジングの内側壁にはスポンジ形態の弾性部材が設置されることを特徴とする。
【発明の効果】
【００１５】
本発明に係る携帯電話の薫香消毒器によれば、携帯電話使用者に爽快さを提供することにより、幸福指数を増大させることができる。
【００１６】
また、携帯電話に付くことができる唾や生体分泌物、または外部接触による細菌の汚染などのような非衛生的な部分を常時消毒を通じて清潔にすることで、使用者の健康を格段に増進させることができる。
【００１７】
また、銀ナノチップを受容して殺菌力を大きく増大させることができ、殺菌及び消毒を実行すると共に、携帯電話のバッテリを充電することができる長所がある。
【発明を実施するための最良の形態】
【００１８】
以下、添付した図面を参照しつつ本発明の多様な実施形態に係る携帯電話の薫香消毒器に関して詳細に説明する。
【００１９】
図１は本発明の第１実施形態に係る携帯電話の薫香消毒器を示す斜視図であり、図２は図１の分解斜視図である。
【００２０】
図１及び図２に示すように、本発明に係る携帯電話の薫香消毒器は、携帯電話を受容することができる容器１、容器１の底部に内蔵される吸着布ケース５０、吸着布ケース５０の内部に内蔵される吸着布６０、及び吸着布ケース５０の上部に設置される隔離板７０を含む。
【００２１】
容器１は、携帯電話を入れるためのハウジング１０、及びハウジング１０を覆うための蓋部２０を含む。この際、蓋部２０は、ハウジング１０に一側部がヒンジ式で結合されて、蓋部２０に設置された開閉ボタン３０の作動により開閉されることができる。
【００２２】
開閉ボタン３０は、雄部と雌部との結合により開閉されることが図面に図示されているが、本発明はこれに限るのでなく、タッチ式ボタン、蝶番、またはスライディング式結合手段のような多様な固定手段が使用できることは勿論である。
【００２３】
蓋部２０の内側面には鏡４０が装着されており、使用者が化粧などをする時に使用できるようにして、便利性を増大させた。
【００２４】
また、ハウジング１０は、プラスチック素材で製作されることができるが、製作時に銀ナノパウダーをプラスチック素材に共に混合して製作することもできる。そのようにすることで、銀から発散される陰イオン及び遠赤外線により携帯電話を殺菌処理できるものである。
【００２５】
吸着布ケース５０は、薄いボックス形態で、その内部に発香機能及び消毒剤機能を共に有する吸着布６０を内蔵できるようにハウジング５３を備えて、ハウジング５３を覆うための蓋部５１がハウジング５３にヒンジ式で結合されており、蓋部５１に設置された開閉ボタン５７により開閉される。また、蓋部５１の全体面にはその内部に内蔵された吸着布６０から発散される香りを外部に排出するための複数のホール５５が穿孔されている。
【００２６】
また、吸着布６０は人体に無害で、香りを発生させると共に、消毒機能を共に行うことができるように薬品処理をしたものであって、市販されている薬品を使用したものである。吸着布６０は液化発香性消毒剤吸着布であって、油性用吸着布を使用することもできる。
【００２７】
隔離板７０は、容器１のハウジング１０の内部に設置されるものであって、吸着布ケース５０の上部にそれから若干離隔して設置されることが好ましくて、取っ手７５を備えることにより、ハウジング１０から脱着自在にする。また、隔離板７０には微細なホール７３を複数個穿孔することで、液化発香性消毒剤の気体が自然気化して複数個のホール７３を通じて容器１の内部に流動されながら薫香作用をすることができるようにする。
【００２８】
また、図示してはいないが、ハウジング１０の内側壁にはスポンジ形態の弾性部材が設置できるが、それを通じて容器の密閉度を高めて、容器の内部に安着する携帯電話の揺れが防止できることになる。
【００２９】
図３は、本発明の第１実施形態に係る薫香消毒器の内部に携帯電話を装着した状態を示す図である。
【００３０】
図３に示すように、携帯電話９０を容器１の内部に入れて蓋部２０を覆った後に、一定時間が経過すれば携帯電話９０が消毒されると共に、香りが与えられることになる。
【００３１】
図４は本発明の第２実施形態に係る携帯電話の薫香消毒器を示す斜視図であり、図５は図４の分解斜視図である。
【００３２】
図４及び図５に示すように、本発明の第２実施形態に係る携帯電話の薫香消毒器は、隔離板７０が容器１のハウジング１０にヒンジ式で結合されたことを除いては、本発明の第１実施形態に係る携帯電話の薫香消毒器と同一である。したがって、本発明の第２実施形態に係る携帯電話の薫香消毒器の構成要素やそれらに対する作動に対してはその具体的な説明を省略する。
【００３３】
本発明の第２実施形態に係る携帯電話の薫香消毒器において、隔離板７０はヒンジ７９により容器１のハウジング１０に回動可能に結合される。即ち、使用者が取っ手７５を握って上方に回動させれば、隔離板７０はヒンジ７９を中心にして回動することになり、回動された状態で吸着布ケース５０を分離して吸着布６０を交換することができる。
【００３４】
図６は本発明の第３実施形態に係る携帯電話の薫香消毒器を示す斜視図であり、図７は図６の分解斜視図であり、図８及び図９は本発明の第３実施形態に係る携帯電話の薫香消毒器の使用状態を示す概略図である。
【００３５】
図６及び図７に示すように、本発明の第３実施形態に係る携帯電話の薫香消毒器１００は、携帯電話を入れるためのハウジング１１０、及びハウジング１１０を覆うための蓋部１２０を含む。この際、蓋部１２０は、ハウジング１１０に一側部がヒンジ式で結合されて、蓋部１２０に設置された開閉ボタン１３０の作動により開閉されることができる。
【００３６】
また、ハウジング１０は、プラスチック素材で製作されることができるが、製作時に銀ナノパウダーをプラスチック素材に共に混合して製作することもできる。これによって、銀から発散される陰イオン及び遠赤外線により携帯電話を殺菌処理することができる。
【００３７】
開閉ボタン１３０は、雄部と雌部との結合により開閉されることが図示されているが、本発明はこれに限るのでなく、タッチ式ボタン、蝶番、またはスライディング式結合手段のような多様な固定手段が使用できることは勿論である。
【００３８】
ハウジング１１０の一側面には上部から一定距離だけ切欠された凹溝部１１５が形成されており、凹溝部１１５に対応する蓋部１２０の一側部には封入凸部１２５が一体形成されている。封入凸部１２５は、凹溝部１１５の半分を密閉できる程度に突出形成されることが好ましい。
【００３９】
また、封入凸部１２５が凹溝部１１５を密閉させて残った凹溝部１１５にはゴム蓋１１７が完全に装着されることができ、ゴム蓋１１７の一側はハウジング１１０に固定されているので、ゴム蓋１１７が固定された部分を中心にして何時でも開閉可能である。
【００４０】
ハウジング１１０の前面部の内側には少なくとも１つ以上の収容部１４０が形成されており、携帯電話が装着されるハウジング１１０の内部と接する収容部１４０の内側壁には複数の貫通ホール１４３が形成されている。また、収容部１４０には銀ナノチップ１５０が受容されることになり、銀ナノチップから発生される陰イオンや遠赤外線が複数の貫通ホール１４３を通過して携帯電話を殺菌することができる。
【００４１】
また、ハウジング１１０の内部には吸着布ケース５０が内蔵され、吸着布ケース５０の内部には吸着布６０が内蔵される。吸着布ケース５０と吸着布６０の構成及び作用は上記に詳細に説明されている。
【００４２】
したがって、図８に示すように、携帯電話を殺菌及び消毒すると共に、バッテリーを充電するために携帯電話２００に充電用ジャッキ２５０を連結し、ゴム蓋１１７をハウジング１１０から離脱させて凹溝部１１を開放させた後、薫香消毒器のハウジング１１０に携帯電話２００を内蔵させる。
【００４３】
その後、蓋部１２０を閉じれば、充電用ジャッキ２５０が凹溝部１１５を通過して携帯電話２００に引続き連結された状態で薫香消毒器１００の内部に内蔵できるようにする。
【００４４】
本発明の第３実施形態に係る薫香消毒器は、殺菌と消毒を行い、携帯電話に香りを染みるようにすると共に、携帯電話バッテリが充電できるようにすることが主な特長である。
【図面の簡単な説明】
【００４５】
【図１】本発明の第１実施形態に係る携帯電話の薫香消毒器を示す斜視図である。
【図２】図１の分解斜視図である。
【図３】本発明の第１実施形態に係る薫香消毒器の内部に携帯電話を装着した状態を示す図である。
【図４】本発明の第２実施形態に係る携帯電話の薫香消毒器を示す斜視図である。
【図５】図４の分解斜視図である。
【図６】本発明の第３実施形態に係る携帯電話の薫香消毒器を示す斜視図である。
【図７】図６の分解斜視図である。
【図８】本発明の第３実施形態に係る携帯電話の薫香消毒器の使用状態を示す概略図である。
【図９】本発明の第３実施形態に係る携帯電話の薫香消毒器の使用状態を示す概略図である。
【符号の説明】
【００４６】
１    容器
１０、５３、１１０    ハウジング
２０、５１、１２０    蓋部
３０、５７、１３０    開閉ボタン
４０    鏡
５０    吸着布ケース
６０    吸着布
７０    隔離板
【図１】
2007307374.tif 000003
【図２】
2007307374.tif 000004
【図３】
2007307374.tif 000005
【図４】
2007307374.tif 000006
【図５】
2007307374.tif 000007
【図６】
2007307374.tif 000008
【図７】
2007307374.tif 000009
【図８】
2007307374.tif 000010
【図９】
2007307374.tif 000011